(57)【要約】【課題】電子機器本体の傾斜角度を簡単に変更することができ、使い勝手がよい電子機器用のスタンドを提供する。【解決手段】本発明の電子機器用のスタンド１は、厚み方向の一方側に電子機器２の裏面２ｃと対向する領域を有する板状の部材からなり、電子機器の裏面の一部と係合するベース部６を備え、ベース部の前記領域に、それぞれが電子機器の裏面に係止可能に形成された係止部１２ｆ，１４ｆ，１６ｄ及び回動の支点となる支持部１２ｂ，１４ｂ，１６ａを有する、係止部と支持部との間の長さが異なる複数の脚部を設けるとともに、複数の脚部のそれぞれの支持部が複数の脚部の回転軸の軸方向が一致するように設けることで、支持部を支点として複数の脚部を選択的に回動したときに、いずれかの第１の係止部を電子機器の裏面に係止させてベース部に対し電子機器が傾動可能にしたことを特徴としている。【選択図】図１０
2014183113.tif 000002
【特許請求の範囲】
【請求項１】
電子機器の裏面側に設けられ、この電子機器の向きを変えるための電子機器用のスタンドであって、
厚み方向の一方側に前記電子機器の裏面と対向する領域を有する板状の部材からなり、前記電子機器の前記裏面の一部と係合するベース部を備え、
前記ベース部の前記領域に、それぞれが前記電子機器の前記裏面に係止可能に形成された係止部及び回動の支点となる支持部を有する、前記係止部と前記支持部との間の長さが異なる複数の脚部を設けるとともに、前記複数の脚部のそれぞれの支持部が前記複数の脚部の回転軸の軸方向が一致するように設けることで、前記支持部を支点として前記複数の脚部を選択的に回動したときに、いずれかの前記第１の係止部を前記電子機器の前記裏面に係止させて前記ベース部に対し前記電子機器が傾動可能にしたことを特徴とする電子機器用のスタンド。
【請求項２】
前記ベース部には、前記電子機器の前記裏面の一部に設けられた第１の係合受け部と係合して前記ベース部に対して前記電子機器を傾動可能にするための第１の係合部が設けられており、前記第１の係合受け部と前記第１の係合部とにより前記電子機器が傾動可能に構成されていることを特徴とする請求項１に記載の電子機器用のスタンド。
【請求項３】
前記第１の係合部は、フック形状に形成され、前記電子機器の裏面に形成された第１の係合受け部に係合することにより、前記電子機器が前記第１の係合部を支点として傾動可能に構成されることを特徴とする請求項２に記載のスタンド。
【請求項４】
前記複数の脚部は、それぞれが板状に形成されるとともに前記支持部を支点として前記ベース部側に倒伏した倒伏位置と前記ベース部に対して立ち上がった支持位置との間で回動可能に形成され、前記ベース部には、さらに前記複数の脚部が前記倒伏位置に回動されたときに前記複数の脚部の前記係止部の代わりに前記電子機器の前記裏面と係合する第２の係合部を設けたことを特徴とする請求項１乃至３の何れか１項に記載の電子機器用のスタンド。
【請求項５】
前記ベース部の前記第２の係合部は、前記電子機器の前記裏面に設けられた第２の係合受け部と係合可能に構成されていることを特徴とする請求項４に記載の電子機器用のスタンド。
【請求項６】
前記第１の係合部と前記第２の係合部は、前記第１の係合部が前記第２の係合受け部に係合するときに前記第２の係合部が前記第１の係合受け部に係合可能にしたことを特徴とする請求項１乃至５の何れか１項に記載の電子機器用のスタンド。
【請求項７】
前記ベース部には、さらに前記複数の脚部が前記倒伏位置に回動されたときに前記複数の脚部を収納する収納部が設けられていることを特徴とする請求項１乃至６の何れか１項に記載の電子機器用のスタンド。
【請求項８】
前記複数の脚部の前記支持部は、前記複数の脚部を前記支持位置から前記倒伏位置の方向に付勢するための可撓性を有するヒンジ部を構成していることを特徴とする請求項１乃至７の何れか１項に記載の電子機器用のスタンド。
【請求項９】
前記ベース部の前記領域には、前記第１の脚部が嵌合される内周部を有するとともに前記ベース部の上面を形成するための外縁部をさらに備え、
前記複数の脚部は、前記内周部と嵌合する第１の外縁部及び該第１の外縁部よりも内側に形成される第１の内縁部を備えた第１の脚部と、該第１の脚部の前記第１の内縁部に嵌合される第２の外縁部及び該第２の外縁部よりも内側に形成される第２の内縁部を備えた第２の脚部と、該第２の脚部の第２の内縁部に嵌合される第３の外縁部を備えた第３の脚部と、からなり、
前記第１の脚部を回動させるときには前記第１の脚部に前記第２の脚部が嵌合するとともに前記第２の脚部に第３の脚部が嵌合した状態で協働するとともに、前記第２の脚部を回動させるときには該第２の脚部に前記第３の脚部が嵌合した状態で協働するように構成したことを特徴とする請求項１乃至８のいずれか１項に記載の電子機器用のスタンド。
【請求項１０】
前記ベース部は、矩形状に形成され、前記領域の一の端辺側には前記第１の係合部を形成するとともに、前記領域の前記一の端辺に対向する他方の端辺側には前記支持部を設けたことを特徴とする請求項２乃至９に記載の電子機器用のスタンド。
【請求項１１】
前記ベース部の前記領域に設けられた前記外縁部の前記内周部には、使用者の手指が挿入可能に切り欠いて形成された手指挿入用の切り欠き部が設けられていることを特徴とする請求項９または１０に記載の電子機器用のスタンド。
【請求項１２】
前記第１乃至第３の脚部の前記係止部は、前記電子機器の前記裏面に形成された前記第２の係合受け部に挿入可能に形成された突起部からなり、前記第１乃至第３の脚部を前記支持位置に回動したときにそれぞれの前記突起部が前記電子機器の前記裏面の前記第２の係合受け部に挿入されるようにしたことを特徴とする請求項９乃至１１の何れか１項に記載の電子機器用のスタンド。
【請求項１３】
前記外縁部の前記内周部に設けられた前記切り欠き部は、さらに前記第１の脚部を前記倒伏位置に回動したときに前記第１の脚部に設けられた前記第１の係止部に対応する位置に設けられていることを特徴とする請求項１２に記載の電子機器用のスタンド。
【発明の詳細な説明】
【技術分野】
【０００１】
本発明は、電子機器用のスタンドに係り、特に、電子機器の裏面側に設けられ、この電子機器の向きを変えるための電子機器用のスタンドに関する。
【背景技術】
【０００２】
従来から、電子機器本体を台の上に斜めに立てるように、電子機器本体の後方側で支持するものとして、例えば、特許文献１に記載されているように、電子機器本体の表面に表示部と表示操作部を備え、電子機器本体の裏面には、電子機器本体を所定の傾斜角度で支持するチルト装置が知られている。
このようなチルト装置は、電子機器本体の裏面の左右両側に設けられた係合歯列と、これらの係合歯列の下方且つ電子機器本体の接地部の上方に位置する一対のチルト支脚枢支部と、各チルト支脚枢支部に着脱可能に連結されるチルト支脚とを備えている。また、両チルト支脚は、電子機器本体の裏面のチルト支脚枢支部に着脱可能に且つ揺動可能に取り付けられて設置面に設置されるチルト脚部材と、このチルト脚部材と協働して電子機器本体を所定の傾斜角度で支えるチルトステーとを備えており、チルトステーの上端部の突起状の係合部が係合歯列の係合歯部に選択的に係合することにより、電子機器本体の傾斜角度を複数段階に設定することができるようになっている。
【先行技術文献】
【特許文献】
【０００３】
【特許文献１】特開２００８−１１５９２５号公報
【発明の概要】
【発明が解決しようとする課題】
【０００４】
しかしながら、上述した従来のチルト装置においては、電子機器本体を台の上に立てた姿勢にすることなく、電子機器本体の裏面を台上に置いた状態で使用する場合や、電子機器本体を収納ケース等に収納して持ち運びするような場合には、電子機器本体からチルト装置をわざわざ取り外さなければならず、その後、電子機器本体を台の上に斜めに立てて姿勢で使用したい場合には、取り外した状態のチルト装置を再び組み付けなければならず、手間がかかるという問題がある。
そこで、本発明は、上述した従来技術の問題を解決するためになされたものであり、電子機器本体に取り付けた状態で持ち運びがしやすく、電子機器本体を台の上に斜めに立てて使用する際には、電子機器本体の傾斜角度を簡単に変更することができ、使い勝手がよい電子機器用のスタンドを提供することを目的としている。
【課題を解決するための手段】
【０００５】
上記の目的を達成するために、本発明は、電子機器の裏面側に設けられ、この電子機器の向きを変えるための電子機器用のスタンドであって、厚み方向の一方側に前記電子機器の裏面と対向する領域を有する板状の部材からなり、前記電子機器の前記裏面の一部と係合するベース部を備え、前記ベース部の前記領域に、それぞれが前記電子機器の前記裏面に係止可能に形成された係止部及び回動の支点となる支持部を有する、前記係止部と前記支持部との間の長さが異なる複数の脚部を設けるとともに、前記複数の脚部のそれぞれの支持部が前記複数の脚部の回転軸の軸方向が一致するように設けることで、前記支持部を支点として前記複数の脚部を選択的に回動したときに、いずれかの前記第１の係止部を前記電子機器の前記裏面に係止させて前記ベース部に対し前記電子機器が傾動可能にしたことを特徴としている。
このように構成された本発明においては、支持部を支点として複数の脚部を選択的に回動したときに、いずれかの第１の係止部を電子機器の裏面に係止させてベース部に対し電子機器が傾動可能にしたことにより、電子機器の使用状況に応じてベース部に対する電子機器の傾斜角度を簡単に変更することができ、使い勝手がよい。
【０００６】
本発明において、好ましくは、前記ベース部には、前記電子機器の前記裏面の一部に設けられた第１の係合受け部と係合して前記ベース部に対して前記電子機器を傾動可能にするための第１の係合部が設けられており、前記第１の係合受け部と前記第１の係合部とにより前記電子機器が傾動可能に構成されていることを特徴としている。
このように構成された本発明においては、電子機器の前記裏面の第１の係合受け部とベース部の第１の係合部とにより電子機器が傾動可能であるため、電子機器の使用状況に応じてベース部に対する電子機器の傾斜角度を簡単に変更することができ、使い勝手がよい。
【０００７】
本発明において、好ましくは、前記第１の係合部は、フック形状に形成され、前記電子機器の裏面に形成された第１の係合受け部に係合することにより、前記電子機器が前記第１の係合部を支点として傾動可能に構成されることを特徴としている。
このように構成された本発明においては、電子機器の裏面に形成された第１の係合受け部に係合することにより、電子機器が第１の係合部を支点として傾動可能であるため、電子機器の使用状況に応じてベース部に対する電子機器の傾斜角度を簡単に変更することができ、使い勝手がよい。
【０００８】
本発明において、好ましくは、前記複数の脚部は、それぞれが板状に形成されるとともに前記支持部を支点として前記ベース部側に倒伏した倒伏位置と前記ベース部に対して立ち上がった支持位置との間で回動可能に形成され、前記ベース部には、さらに前記複数の脚部が前記倒伏位置に回動されたときに前記複数の脚部の前記係止部の代わりに前記電子機器の前記裏面と係合する第２の係合部を設けたことを特徴としている。
このように構成された本発明においては、複数の脚部が倒伏位置に回動されたときに複数の脚部の係止部の代わりにベース部の第２の係合部と電子機器の裏面とが係合するため、電子機器とベース部とをしっかりと固定することができ、持ち運びがしやすく使い勝手がよい。
【０００９】
本発明において、好ましくは、前記ベース部の前記第２の係合部は、前記電子機器の前記裏面に設けられた第２の係合受け部と係合可能に構成されていることを特徴としている。
このように構成された本発明においては、複数の脚部が倒伏位置に回動されたときに複数の脚部の係止部の代わりにベース部の第２の係合部と電子機器の裏面の第２の係合受部とが係合するため、電子機器とベース部とをしっかりと固定することができ、持ち運びがしやすく使い勝手がよい。
【００１０】
本発明において、好ましくは、前記第１の係合部と前記第２の係合部は、前記第１の係合部が前記第２の係合受け部に係合するときに前記第２の係合部が前記第１の係合受け部に係合可能にしたことを特徴としている。
このように構成された本発明においては、ベース部の第１の係合部を電子機器の裏面の第２の係合受け部に係合させ、ベース部の第２の係合部を電子機器の裏面の第１の係合受け部に係合させることにより、ベース部に対しる電子機器の向けを変えて取り付けることができ、使い勝手がよい。
【００１１】
本発明において、好ましくは、前記ベース部には、さらに前記複数の脚部が前記倒伏位置に回動されたときに前記複数の脚部を収納する収納部が設けられていることを特徴としている。
このように構成された本発明においては、複数の脚部が前記倒伏位置に回動されたときに、これら脚部がベース部の収納部に収納されるため、電子機器とその裏面に取り付けたベース部の全体の厚みを小さく設定することができ、持ち運びがしやすく使い勝手がよい。
【００１２】
本発明において、好ましくは、前記複数の脚部の前記支持部は、前記複数の脚部を前記支持位置から前記倒伏位置の方向に付勢するための可撓性を有するヒンジ部を構成していることを特徴としている。
このように構成された本発明においては、複数の脚部を支持位置から倒伏位置の方向に付勢するための可撓性を有するヒンジ部により、脚部が倒伏位置であるときには、脚部の上面とベース部の上面とが同一平面になるように、脚部をベース部に弾性的に付勢した状態で確実に固定することができる。したがって、脚部がヒンジ部を中心に意に反して支持位置側に回動することにより、ベース部が電子機器の裏面から意に反して外れることを防ぐことができる。また、脚部が支持位置にあるときには、脚部の係止部と電子機器の裏面の第１の係合受け部又は第２の係合受け部との取り付け具合を強めることができるため、ベース部に対して傾斜させた状態の電子機器を脚部で安定的に支持した状態で固定することができる。
【００１３】
本発明において、好ましくは、前記ベース部の前記領域には、前記第１の脚部が嵌合される内周部を有するとともに前記ベース部の上面を形成するための外縁部をさらに備え、
前記複数の脚部は、前記内周部と嵌合する第１の外縁部及び該第１の外縁部よりも内側に形成される第１の内縁部を備えた第１の脚部と、該第１の脚部の前記第１の内縁部に嵌合される第２の外縁部及び該第２の外縁部よりも内側に形成される第２の内縁部を備えた第２の脚部と、該第２の脚部の第２の内縁部に嵌合される第３の外縁部を備えた第３の脚部と、からなり、前記第１の脚部を回動させるときには前記第１の脚部に前記第２の脚部が嵌合するとともに前記第２の脚部に第３の脚部が嵌合した状態で協働するとともに、前記第２の脚部を回動させるときには該第２の脚部に前記第３の脚部が嵌合した状態で協働するように構成したことを特徴としている。
このように構成された本発明においては、第１の脚部を回動させるときには第１の脚部に第２の脚部が嵌合するとともに第２の脚部に第３の脚部が嵌合した状態で協働するとともに、第２の脚部を回動させるときには第２の脚部に第３の脚部が嵌合した状態で協働するため、電子機器の使用状況に応じてベース部に対する電子機器の傾斜角度を簡単に変更することができ、使い勝手がよい。
【００１４】
本発明において、好ましくは、前記ベース部は、矩形状に形成され、前記領域の一の端辺側には前記第１の係合部を形成するとともに、前記領域の前記一の端辺に対向する他方の端辺側には前記支持部を設けたことを特徴としている。
このように構成された本発明においては、電子機器の使用状況に応じてベース部に対する電子機器の傾斜角度を簡単に変更することができ、使い勝手がよい。
【００１５】
本発明において、好ましくは、前記ベース部の前記領域に設けられた前記外縁部の前記内周部には、使用者の手指が挿入可能に切り欠いて形成された手指挿入用の切り欠き部が設けられていることを特徴としている。
このように構成された本発明においては、脚部の上面とベース部の上面とが同一平面になっている倒伏位置の脚部を使用者が支持位置にしようとする際に、手指挿入用の切り欠き部に使用者の手指を挿入し、摘まんで引き上げることにより、容易に脚部をベース部に対して立ち上げることができるため、使い勝手がよい。
【００１６】
本発明において、好ましくは、前記第１乃至第３の脚部の前記係止部は、前記電子機器の前記裏面に形成された前記第２の係合受け部に挿入可能に形成された突起部からなり、前記第１乃至第３の脚部を前記支持位置に回動したときにそれぞれの前記突起部が前記電子機器の前記裏面の前記第２の係合受け部に挿入されるようにしたことを特徴としている。
このように構成された本発明においては、第１乃至第３の脚部を支持位置に回動したときにそれぞれの突起部が電子機器の裏面の第２の係合受け部に挿入されるため、ベース部に対して傾斜させた状態の電子機器を脚部で安定的に支持した状態で固定することができる。
【００１７】
本発明において、好ましくは、前記外縁部の前記内周部に設けられた前記切り欠き部は、さらに前記第１の脚部を前記倒伏位置に回動したときに前記第１の脚部に設けられた前記第１の係止部に対応する位置に設けられていることを特徴としている。
このように構成された本発明においては、ベース部の外縁部の内周部に設けられた切り欠き部が、第１の脚部を倒伏位置に回動したときに第１の脚部に設けられた第１の係止部に対応する位置に設けられているため、倒伏位置の脚部を使用者が支持位置にしようとする際に、手指挿入用の切り欠き部に使用者の手指を挿入し、摘まんで引き上げることにより、容易に脚部をベース部に対して立ち上げることができるため、使い勝手がよい。
【発明の効果】
【００１８】
本発明の電子機器用のスタンドによれば、電子機器本体に取り付けた状態で持ち運びがしやすく、電子機器本体を台の上に斜めに立てて使用する際には、電子機器本体の傾斜角度を簡単に変更することができ、使い勝手がよい。
【図面の簡単な説明】
【００１９】
【図１】本発明の一実施形態によるスタンドをタブレット本体の後方側で支持した状態を斜め前方から見た概略斜視図である。
【図２】本発明の一実施形態によるスタンドを示す平面図である。
【図３】本発明の一実施形態によるスタンドが取り付けられるタブレット本体を示す背面図である。
【図４】図２のＩＶ−ＩＶ線に沿った断面図である。
【図５】図２に示す本発明の一実施形態によるスタンドの後側取付部を部分的に拡大した拡大斜視図である。
【図６】本発明の一実施形態によるスタンドの第１の使用状態において、第１の支脚部、第２の支脚部及び第３の支脚部を倒伏位置に設定した状態を示す斜視図である。
【図７】本発明の一実施形態によるスタンドの第１の使用状態において、第１の支脚部、第２の支脚部及び第３の支脚部を倒伏位置に設定した状態のスタンドをタブレット本体に取り付けた状態を示す右側側面図である。
【図８】本発明の一実施形態によるスタンドの第１の使用状態において、第１の支脚部、第２の支脚部及び第３の支脚部を第１の支持位置に設定した状態を示す斜視図である。
【図９】本発明の一実施形態によるスタンドの第１の使用状態において、第１の支脚部、第２の支脚部及び第３の支脚部を第１の支持位置に設定した状態のスタンドをタブレット本体に取り付けた状態を示す右側側面図である。
【図１０】本発明の一実施形態によるスタンドの第１の使用状態において、第１の支脚部、第２の支脚部及び第３の支脚部を第１の支持位置に設定した状態のスタンドをタブレット本体に取り付けた状態を斜め後方側から見た斜視図である。
【図１１】本発明の一実施形態によるスタンドの第１の使用状態において、第１の支脚部を倒伏位置に設定し、且つ第２の支脚部及び第３の支脚部を第２の支持位置に設定した状態を示す斜視図である。
【図１２】本発明の一実施形態によるスタンドの第１の使用状態において、第１の支脚部を倒伏位置に設定し、且つ第２の支脚部及び第３の支脚部を第２の支持位置に設定した状態のスタンドをタブレット本体に取り付けた状態を示す右側側面図である。
【図１３】本発明の一実施形態によるスタンドの第１の使用状態において、第１の支脚部及び第２の支脚部を倒伏位置に設定し、且つ第３の支脚部を第３の支持位置に設定した状態を示す斜視図である。
【図１４】本発明の一実施形態によるスタンドの第１の使用状態において、第１の支脚部及び第２の支脚部を倒伏位置に設定し、且つ第３の支脚部を第３の支持位置に設定した状態のスタンドをタブレット本体に取り付けた状態を示す右側側面図である。
【図１５】本発明の一実施形態によるスタンドの第２の使用状態において、タブレット本体の後方側で支持した状態を斜め前方から見た概略斜視図である。
【発明を実施するための形態】
【００２０】
つぎに、以下、添付図面を参照して、本発明の一実施形態によるスタンドについて説明する。
図１は、本発明の一実施形態によるスタンドをタブレット本体の後方側で支持した状態を斜め前方から見た概略斜視図であり、図２は、本発明の一実施形態によるスタンドを示す平面図である。
【００２１】
まず、図１及び図２に示すように、本発明の一実施形態によるスタンド１は、電子機器であるタブレットの本体２を台の上面４に斜めに立てるように、タブレット本体２の後方側で支持するものであり、台の上面４に設置する板状のベース部６を備えている。
【００２２】
また、本実施形態のスタンド１が取り付けられるタブレット本体２の表面中央には、矩形の液晶表示部２ａが設けられ、この液晶表示部２ａの左側には、複数の操作ボタン２ｂが設けられている。
なお、タブレット本体２は、液晶表示部２ａの任意の位置を専用の電子ペン（図示せず）やペン状の物体等で押圧することにより座標入力を行い、この座標入力した位置をタブレット本体２に内蔵されているセンサ（図示せず）により読み取り、その読み取った位置や動きの情報をコンピュータ本体（図示せず）に送る、いわゆる、ペンタブレットの形態の例であるが、このようなタブレットの形態に限られず、タッチパネルと表示装置を備えた他の形態のタブレットであってもよい。また、タブレットの表示部についても、液晶表示部以外の表示部を備えたものであってもよい。さらに、本実施形態のスタンド１が取り付けられる電子機器本体としては、タブレット本体以外にも、ノート型のパソコンの本体や携帯電話機の本体等にも適用可能である。
【００２３】
つぎに、ベース部６の上面６ａについて図２を参照して説明する。
なお、図２では、ベース部６の前側及び後側のそれぞれについて、符号Ｆ１，Ｂ１で示しており、図２に示すベース部６の前側から見て右側が「ベース部６の右側」、図２に示すベース部６の前側から見て左側が「ベース部６の左側」と定義する。
ベース部６の前側には、立てた状態のタブレット本体２の裏面２ｃの下部に対して、タブレット本体２の横幅方向に延びる第１の軸線Ａ１回りに回動可能に取り付けられ且つ第１の係合部である前側取付部８が設けられている。
ベース部６の前側取付部８よりも後方位置には、ベース部６に対して、第１の軸線Ａ１と平行に延びる第２の軸線Ａ２回りに回動可能に取付けられた複数（３つ）の板状の脚部である支脚部１０を備えている。これらの複数の支脚部１０の各々は、ベース部６側に倒伏した倒伏位置Ｐ（Ｐ１，Ｐ２，Ｐ３）（詳細は後述する）とベース部６に対して立ち上がった支持位置Ｑ（Ｑ１，Ｑ２，Ｑ３）（詳細は後述する）との間で第２の軸線Ａ２回りに回動可能となっている。
そして、ベース部６の後側には、前側取付部８と前後方向に対向するように、第２の係合部として後側取付部１８が設けられている。
【００２４】
複数の支脚部１０は、第１の脚部である第１の支脚部１２と、第２の脚部である第２の支脚部１４と、第３の脚部である第３の支脚部１６とを備えている。これら３つの支脚部１２，１４，１６は、すべてが倒伏位置Ｐ１，Ｐ２，Ｐ３にあるときには、上面全体がベース部６の上面６ａと同一平面内で一体となり、平面視で概ね長方形形状となっている。
すなわち、第１の支脚部１２は、倒伏位置Ｐ１においてベース部６の上面６ａと同一平面内にあり、ベース部６の上面６ａの中央部に形成された取付穴６ｂ内に嵌合可能に設けられ、複数の支脚部１０の中で縦方向の長さＨ１と横方向の長さＬ１が最も長く形成されている。このベース部６の取付穴６ｂは、倒伏位置Ｐ１，Ｐ２，Ｐ３に回動された状態の複数の支脚部１２，１４，１６を収納する収納部となっている。
また、第２の支脚部１４は、第１の支脚部１２の内側に平面視でほぼ矩形状に形成された第１の穴１２ａ内に嵌合可能に設けられ、縦方向の長さＨ２と横方向の長さＬ２とが第１の支脚部１２よりも短く形成されている。
さらに、第３の支脚部１６は、第２の支脚部１４の内側に平面視でほぼ矩形状に形成された第２の穴１４ａ内に嵌合可能に設けられ、縦方向の長さＨ３と横方向の最大長さＬ３とが第２の支脚部１２よりも短形成されている。これらの第１の支脚部１２、第２の支脚部１４及び第３の支脚部１６の少なくとも１つを選択的に倒伏位置Ｐから支持位置Ｑに立ち上げることにより、タブレット本体２をベース部６に対して複数の傾斜角度で支持することができるようになっている。
【００２５】
つぎに、図３は、本発明の一実施形態によるスタンドが取り付けられるタブレット本体を示す背面図であり、図４は、図２のＩＶ−ＩＶ線に沿ったスタンドの断面図である。なお、図３では、タブレット本体２の前側及び後側のそれぞれについて、符号Ｆ２，Ｂ２で示しており、図３に示すタブレット本体２の前側から見て右側が「タブレット本体２の左側」、図３に示すタブレット本体２の前側から見て左側が「タブレット本体２の右側」と定義する。
図２〜図４に示すように、前側取付部８は、ベース部６の上面６ａの前端から上方に突出し、その上端から前方へ突出する横長のフックを形成している。また、タブレット本体２の裏面２ｃには、その縦幅方向に並列に配置され且つタブレット本体２の裏面２ｃの横幅方向に延びるように横長のスリット状に形成された第１の係合受け部である第１の取付穴２ｄと、第２の係合受け部である第２の取付穴２ｅとが設けられている。また、これらの第１の取付穴２ｄ及び第２の取付穴２ｅは、前側取付部８が挿入可能に形成されており、前側取付部８をタブレット本体２の裏面２ｃの第１の取付穴２ｄ又は第２の取付穴２ｅの一方に挿入して引っ掛けることにより、ベース部６がタブレット本体２に対して着脱自在に取り付けられるようになっている。
【００２６】
タブレット本体２の裏面２ｃの第１の取付穴２ｄ及び第２の取付穴２ｅは、ベース部６を取り付ける前の状態のタブレット本体２をその裏面２ｃと同一面内で回転させることにより、ベース部６の前側取付部８に対する互いの配置換えが可能になっている。
【００２７】
また、詳細は後述する図７に示すように、ベース部６は、前側取付部８をタブレット本体２の裏面２ｃに取り付けた状態では、第１〜第３の脚部１２，１４，１６は、ベース部６の上面６ａがタブレット本体２の裏面２ｃに対してほぼ平行な収納位置Ｒまで第１の軸線Ａ１回りに回動可能となっている。さらに、ベース部６がこの収納位置Ｒにあるときには、各支脚部１２，１４，１６は、倒伏位置Ｐにあり、タブレット本体２の裏面２ｃとベース部６との間に収容されるようになっている。
【００２８】
つぎに、図２〜図４に示すように、ベース部６の上面６ａの後方側には、前側取付部８と前後方向に対向するように後側取付部１８が設けられている。第１の使用状態において、ベース部６が収納位置Ｒにあるときには、スタンド１は、後側取付部１８がタブレット本体２の裏面２ｃの第２の取付穴２ｅに挿入されてタブレット本体２に取り付けられるようになっている。
一方、第２の使用状態において、ベース部６が収納位置Ｒにあるときには、スタンド１は、後側取付部１８がタブレット本体２の裏面２ｃの第１の取付穴２ｅに挿入されてタブレット本体２に取り付けられるようになっている。
【００２９】
つぎに、図５は、図２に示す本発明の一実施形態によるスタンドの後側取付部を部分的に拡大した拡大斜視図である。
後側取付部１８は、例えば、表面がマット仕上げ加工された材料、或いはラバー状の滑り難い材料で形成されている。そして、図２、図３及び図５に示すように、後側取付部１８は、ベース部６の上面６ａから上方に突出し且つ前側取付部８、横長のスリット状の第１の取付穴２ｄ及び上記第２の取付穴２ｅの長手方向と平行に延びるように形成された横長の長突起部１８ａと、この長突起部１８ａの前側及び後側から前後方向に突出するように一体的に形成された複数の短突起部１８ｂとを備えている。これらの長突起部１８ａ及び短突起部１８ｂは、第１の使用状態では、第２の取付穴２ｅに挿入されて嵌合し、後側取付部１８と第２の取付穴２ｅとが互いに確実に係止されるようになっている。同様に、第２の使用状態では、長突起部１８ａ及び短突起部１８ｂは、第２の取付穴２ｅに挿入されて嵌合し、後側取付部１８と第２の取付穴２ｅとが互いに確実に係止されるようになっている。
【００３０】
つぎに、図６は、本発明の一実施形態によるスタンドの第１の使用状態において、第１の支脚部、第２の支脚部及び第３の支脚部を倒伏位置に設定した状態を示す斜視図であり、図７は、本発明の一実施形態によるスタンドの第１の使用状態において、第１の支脚部、第２の支脚部及び第３の支脚部を倒伏位置に設定した状態のスタンドをタブレット本体に取り付けた状態を示す右側側面図である。
また、図８は、本発明の一実施形態によるスタンドの第１の使用状態において、第１の支脚部、第２の支脚部及び第３の支脚部を第１の支持位置に設定した状態を示す斜視図であり、図９は、本発明の一実施形態によるスタンドの第１の使用状態において、第１の支脚部、第２の支脚部及び第３の支脚部を第１の支持位置に設定した状態のスタンドをタブレット本体に取り付けた状態を示す右側側面図であり、図１０は、本発明の一実施形態によるスタンドの第１の使用状態において、第１の支脚部、第２の支脚部及び第３の支脚部を第１の支持位置に設定した状態のスタンドをタブレット本体に取り付けた状態を斜め後方側から見た斜視図である。
さらに、図１１は、本発明の一実施形態によるスタンドの第１の使用状態において、第１の支脚部を倒伏位置に設定し、且つ第２の支脚部及び第３の支脚部を第２の支持位置に設定した状態を示す斜視図であり、図１２は、本発明の一実施形態によるスタンドの第１の使用状態において、第１の支脚部を倒伏位置に設定し、且つ第２の支脚部及び第３の支脚部を第２の支持位置に設定した状態のスタンドをタブレット本体に取り付けた状態を示す右側側面図である。
また、図１３は、本発明の一実施形態によるスタンドの第１の使用状態において、第１の支脚部及び第２の支脚部を倒伏位置に設定し、且つ第３の支脚部を第３の支持位置に設定した状態を示す斜視図であり、図１４は、本発明の一実施形態によるスタンドの第１の使用状態において、第１の支脚部及び第２の支脚部を倒伏位置に設定し、且つ第３の支脚部を第３の支持位置に設定した状態のスタンドをタブレット本体に取り付けた状態を示す右側側面図である。
【００３１】
図２、図６、図８〜図１４に示すように、各支脚部１２，１４，１６は、ベース部６の上面６ａの後方側に一体的に形成されて共通（同軸）の第２の軸線Ａ２を含む支持部である第１のヒンジ部１２ｂ、第２のヒンジ部１４ｂ、及び第３のヒンジ部１６ａをそれぞれ備えている。
また、各支脚部１２，１４，１６は、各支脚部１２，１４，１６の各倒伏位置Ｐ１，Ｐ２，Ｐ３においてベース部６の上面６ａと同一平面内にあり（図６参照）、各倒伏位置Ｐ１，Ｐ２，Ｐ３から各支持位置Ｑ１，Ｑ２，Ｑ３まで各ヒンジ部１２ｂ，１４ｂ，１６ａの第２の軸線Ａ２を中心に後方側へ回動する（図８参照）ことによりベース部６に対して立ち上がった状態でタブレット本体２をベース部６に対して傾斜させて支持する第１の脚板部１２ｃ、第２の脚板部１４ｃ、及び第３の脚板部１６ｂをそれぞれ備えている。
さらに、各ヒンジ部１２ｂ，１４ｂ，１６ａは、各脚板部１２ｃ，１４ｃ，１６ｂを各支持位置Ｑ１，Ｑ２，Ｑ３から倒伏位置Ｐ１，Ｐ２，Ｐ３の方向に向けて弾性的に付勢するように可撓性を備えている。
【００３２】
第１の支脚部１２の第１の脚板部１２ｃは、表面がマット仕上げ加工された材料、或いはラバー状の滑り難い材料で形成されている。この第１の脚板部１２の第１の脚板部１２ｃは、図２に示すように、倒伏位置Ｐ１でベース部６の取付穴６ｂに上方から嵌合される第１の外縁部１２ｄと、この第１の外縁部１２ｄよりも内側に形成され且つ第１の穴１２ａの一部を形成する第１の内縁部１２ｅとを備えている。
また、第２の支脚部１４の第２の脚板部１４ｃは、表面がマット仕上げ加工された材料、或いはラバー状の滑り難い材料で形成されている。この第２の脚板部１４ｃは、図２に示すように、倒伏位置Ｐ２で第１の脚板部１２ｃの第１の内縁部１２ｅに上方から嵌合される第２の外縁部１４ｄと、この第２の外縁部１４ｄよりも内側に形成され且つ第２の穴１４ａの一部を形成する第２の内縁部１２ｅとを備えている。
さらに、第３の支脚部１６の第３の脚板部１６ｂは、表面がマット仕上げ加工された材料、或いはラバー状の滑り難い材料で形成されている。この第３の脚板部１６ｂは、図２に示すように、倒伏位置Ｐ３で第２の脚板部１２ｃの第２の内縁部１２ｅに上方から嵌合される第３の外縁部１６ｃを備えている。
【００３３】
各脚板部１２ｃ，１４ｃ，１６ｂの外縁部１２ｄ，１４ｄ，１６ｃの先端部は、前側取付部８をタブレット本体２の第１の取付穴２ｄに取り付けた第１の使用状態において、各支持位置Ｑ１（図９の状態），Ｑ２（図１２の状態），Ｑ３（図１４の状態）でタブレット本体２の第２の取付穴２ｅに取り付けられる係止部である第１の突起部１２ｆ、第２の突起部１４ｆ、及び第３の突起部１６ｄをそれぞれ形成している。これにより、支持位置Ｑ１の第１の脚板部１２ｃの第１の突起部１２ｆ、支持位置Ｑ２の第２の脚板部１４ｃの第２の突起部１４ｆ、又は支持位置Ｑ３の第３の脚板部１６の第３の突起部１６ｄのいずれかを選択し、タブレット本体２の第２の取付穴２ｅに挿入して取り付けることにより、タブレット本体２のベース部６に対する傾斜角度の大きさを０度以上９０度以下の範囲内で各角度α１，α２，α３に多段階に設定することができるようになっている。
【００３４】
つぎに、図６に示すように、第１の支脚部１２、第２の支脚部１４及び第３の支脚部１６のすべてをそれぞれの倒伏位置Ｐ１，Ｐ２，Ｐ３に設定した状態では、ベース部６の上面６ａに対する各脚板部１２ｃ，１４ｃ，１６ｂの上面１２ｇ，１４ｇ，１６ｆの傾斜角度β０の大きさが０度となり、タブレット本体２のベース部６に対する傾斜角度α０の大きさも０度となる。
また、図２に示すように、ベース部６の上面６ａを形成する外縁部において、その内周部に形成され且つ第１の脚板部１２ｃの第１の外縁部１２ｄが嵌合されるベース部６の内縁部６ｃの一部には、使用者の手指が挿入可能にベース部６の内縁部６ｃの上面６ａから下方に凹むように形成された手指挿入用の複数の切り欠き部である凹部２０ａ，２０ｂ，２０ｃが設けられている。これらの複数の凹部２０ａ，２０ｂ，２０ｃのうち、凹部２０ａは、倒伏位置Ｐ１において第１の脚板部１２ｃの先端部である第１の突起部１２ｆと対向するベース部６の左右方向（横幅方向）に延びる内縁部６ｃに設けられている。また、凹部２０ｂ及び凹部２０ｃは、それぞれ倒伏位置Ｐ１の第１の脚板部１２ｃの前後方向に延びる第１の外縁部１２ｄと嵌合するベース部６の前後方向（縦幅方向）に延びる左右の内縁部６ｃにそれぞれ設けられている。
【００３５】
さらに、図２及び図１１に示すように、第２の脚板部１４ｃの第２の外縁部１４ｄが嵌合される第１の脚板部１２ｃの第１の内縁部１２ｅの一部には、使用者の手指が挿入可能に第１の脚板部１２ｃの第１の内縁部１２ｅの上面１２ｇから下方に凹むように形成された手指挿入用の複数の凹部２２が設けられている。これらの複数の凹部２２ａ，２２ｂ，２２ｃのうち、凹部２２ａは、倒伏位置Ｐ２において第２の脚板部１４ｃの先端部である第２の突起部１４ｆと対向する第１の脚板部１２ｃの左右方向（横幅方向）に延びる第１の内縁部１２ｅに設けられている。また、凹部２２ｂ及び凹部２２ｃは、それぞれ倒伏位置Ｐ２の第２の脚板部１４ｃの前後方向に延びる第２の外縁部１４ｄと嵌合する第１の脚板部１２ｃの前後方向（縦幅方向）に延びる左右の第１の内縁部１２ｅにそれぞれ設けられている。
【００３６】
同様に、図２及び図１３に示すように、第３の脚板部１６ｂの第３の外縁部１６ｃが嵌合される第２の脚板部１４ｃの第２の内縁部１４ｅの一部には、使用者の手指が挿入可能に第２の脚板部１４ｃの第２の内縁部１４ｅの上面１４ｇから下方に凹むように形成された手指挿入用の複数の凹部２４が設けられている。これらの複数の凹部２４ａ，２４ｂ，２４ｃのうち、凹部２４ａは、倒伏位置Ｐ３において第３の脚板部１６ｂの先端部である第３の突起部１６ｄと対向する第２の脚板部１４ｃの左右方向（横幅方向）に延びる第２の内縁部１４ｅに設けられている。また、凹部２４ｂ及び２４ｃは、それぞれ倒伏位置Ｐ３の第３の脚板部１６ｂの前後方向に延びる第３の外縁部１６ｃと嵌合する第２の脚板部１４ｃの前後方向（縦幅方向）に延びる左右の第２の内縁部１４ｅにそれぞれ設けられている。
【００３７】
つぎに、図８〜図１０に示すように、第１の支脚部１２を第１の支持位置Ｑ１に設定した状態では、ベース部６に対して第１の支脚部１２、第２の支脚部１４及び第３の支脚部１６のすべてが一体的に第２の軸線Ａ２を中心に回動して引き上げられ、第１の支脚部１２の第１の脚板部１２ｃの第１の突起部１２ｆが選択され、タブレット本体２の第２の取付穴２ｅに取り付けられている。これにより、ベース部６の上面６ａに対する各支脚部１２，１４，１６の脚板部１２ｃ，１４ｃ，１６ｂの上面１２ｇ，１４ｇ，１６ｆの傾斜角度β１は、０度よりも大きく且つ９０度よりも小さい大きさとなり、タブレット本体２のベース部６に対する傾斜角度α１については、最大の大きさとなる。
【００３８】
また、図１１及び図１２に示すように、第１の支脚部１２を倒伏位置Ｐ１に設定し、且つ第２の支脚部１４及び第３の支脚部１６を第２の支持位置Ｑ２に設定した状態では、ベース部６に対して第２の支脚部１４及び第３の支脚部１６が一体的に第２の軸線Ａ２を中心に回動して引き上げられ、第２の支脚部１４の第２の脚板部１４ｃの第２の突起部１４ｆが選択され、タブレット本体２の第２の取付穴２ｅに取り付けられている。これにより、ベース部６の上面６ａに対する第１の脚板部１２ｃの上面１２ｇの傾斜角度β０の大きさは０度となるが、ベース部６の上面６ａに対する第２の脚板部１４ｃの上面１４ｇ及び第３の脚板部１６ｂの上面１６ｆの傾斜角度β２の大きさは、０度よりも大きく且つ９０度よりも小さいβ１よりも大きい大きさとなる。一方、タブレット本体２のベース部６に対する傾斜角度α２については、０度よりも大きく且つ最大の傾斜角度α１よりも小さい大きさとなる。
【００３９】
さらに、図１３及び図１４に示すように、第１の支脚部１２及び第２の支脚部１４を倒伏位置Ｐ１，Ｐ２に設定し、且つ第３の支脚部１６を第３の支持位置Ｑ３に設定した状態では、ベース部６に対して第３の支脚部１６のみが第２の軸線Ａ２を中心に回動して引き上げられ、第３の脚板部１６ｂの第３の突起部１６ｄが選択され、タブレット本体２の第２の取付穴２ｅに取り付けられている。これにより、ベース部６の上面６ａに対する第１の脚板部１２ｃの上面１２ｇ及び第２の脚板部１４ｃの上面１４ｇの傾斜角度β０の大きさは０度となるが、ベース部６の上面６ａに対する第３の脚板部１６ｂの上面１６ｆの傾斜角度β３の大きさは、０度よりも大きく且つ傾斜角度β２よりも大きい大きさとなる。さらに、タブレット本体２のベース部６に対する傾斜角度α３についても、０度よりも大きく且つ傾斜角度α２よりも小さい大きさとなる。
【００４０】
つぎに、図１５は、本発明の一実施形態によるスタンドの第２の使用状態において、タブレット本体の後方側で支持した状態を斜め前方から見た概略斜視図である。
図３及び図１５に示すように、前側取付部８をタブレット本体２の裏面２ｃの第２の取付穴２ｅに取り付けた状態で、第１の支脚部１２の第１の突起部１２ｆ、第２の支脚部１４の第２の突起部１４ｆ、又は第３の支脚部１６の第３の突起部１６ｄのいずれかをタブレット本体２の裏面２ｃの第１の取付穴２ｄに取り付けた場合には、タブレット本体２の液晶表示部２ａと操作ボタン２ｄの配置が、図１に示すタブレット本体２の液晶表示部２ａと操作ボタン２ｄの配置に対して、タブレット本体２の表面及び裏面を上下方向に貫く中心軸線を中心に１８０度回転させた状態となり、タブレット本体２が台の上面４に置かれたベース部２に対して傾斜した状態で支持されるようになっている。
【００４１】
上述した本発明の一実施形態によるスタンド１によれば、ベース部６の前側取付部８をタブレット本体２の横幅方向に延びる第１の軸線Ａ１回りに回動可能に取り付けられた状態で、ベース部６に対して、第１の軸線Ａ１と平行に延びる第２の軸線Ａ２回りに回動可能に取付けられた複数の支脚部１２，１４，１６を第２の軸線Ａ２回りに倒伏位置Ｐ１，Ｐ２，Ｐ３側へ回動させ、各支脚部１２，１４，１６の先端部である突起部１２ｆ，１４ｆ，１６ｄをタブレット本体２の裏面２ｃに固定することにより、複数の支脚部１２，１４，１６をベース部６側に倒伏させて容易にタブレット本体２とベース部６との間に確実に収納することができ、タブレット本体２とその裏面２ｃに取り付けたベース部６の全体の厚みを小さく設定することができる。したがって、タブレット本体２とベース部６との間に支脚部を収納した状態で持ち運びがしやすく、使い勝手がよい。
また、互いに異なる長さを備えた複数の支脚部１２，１４，１６の少なくとも一つを第２の軸線Ａ２回りに支持位置Ｑ側へ回動させ、複数の支脚部１２，１４，１６をベース部６に対して選択的に立ち上げ、各支脚部１２，１４，１６の突起部１２ｆ，１４ｆ，１６ｄのいずれかを固定手段であるタブレット本体２の裏面２ｃの第１の取付穴２ｄ又は第２の取付穴２ｅに固定することにより、いずれかの支脚部１２，１４，１６が支持するタブレット本体２のベース部６に対する傾斜角度α１，α２，α３を多段階に設定することができる。
特に、第１の脚板部１２の第１の突起部１２ｆを選択してタブレット本体２の第１の取付穴２ｄ又は第２の取付穴２ｅの他方に取り付けた状態では、タブレット本体２のベース部６に対する傾斜角度の大きさを、０度よりも大きく且つ９０度よりも小さい最大の傾斜角度（第１の傾斜角度α１）に設定することができる。また、第２の脚板部１４の第２の突起部１４ｆを選択してタブレット本体２の第１の取付穴２ｄ又は第２の取付穴２ｅの他方に取り付けた状態では、タブレット本体２のベース部６に対する傾斜角度の大きさを、０度よりも大きく且つ第１の傾斜角度α１の大きさよりも小さい第２の傾斜角度α２に設定することができる。さらに、第３の脚板部１６の第３の突起部１６ｄを選択してタブレット本体２の第１の取付穴２ｄ又は第２の取付穴２ｅの他方に取り付けた状態では、タブレット本体２のベース部６に対する傾斜角度の大きさを第２の傾斜角度α２の大きさよりも小さい第３の傾斜角度α３に設定することができる。したがって、タブレット本体２の使用状況に応じてベース部６に対するタブレット本体２の傾斜角度α１，α２，α３を簡単に変更することができ、使い勝手がよい。
【００４２】
さらに、本実施形態によるスタンド１によれば、ベース部６が、前側取付部８をタブレット本体２の裏面２ｃに取り付けた状態でタブレット本体２の裏面２ｃに対してほぼ平行な収納位置Ｒまで第１の軸線Ａ１回りに回動可能であり、複数の支脚部１２，１４，１６が、この収納位置Ｒにおいて、タブレット本体２の裏面２ｃとベース部６との間に収容可能であるため、タブレット本体２とその裏面２ｃに取り付けたベース部６の全体の厚みを小さく設定することができる。したがって、タブレット本体２とベース部６との間に支脚部を収納した状態で持ち運びがしやすく、使い勝手がよい。
【００４３】
また、本実施形態によるスタンド１によれば、横長のフックを形成する前側取付部８を、タブレット本体２の裏面２ｃに形成された横長の第１の取付穴２ｄ又は第２の取付穴２ｅに引っ掛けることにより、ベース部６を容易にタブレット本体２に対して着脱自在に取り付けることができる。また、前側取付部８がタブレット本体２の裏面２ｃの横長の第１の取付穴２ｄ又は第２の取付穴２ｅに取り付られた状態で、ベース部６をタブレット本体２の裏面２ｃに対して第１の軸線Ａ１回りに回動させることにより、容易にベース部６をタブレット本体２の裏面２ｃとほぼ平行な収納位置Ｒに設定したり、タブレット本体２をベース部６に対して傾斜させたりすることができるため、使い勝手がよい。
【００４４】
さらに、本実施形態によるスタンド１によれば、各支脚部１２，１４，１６のヒンジ部１２ｂ，１４ｂ，１６ａが、ベース部６の上面６ａの後方側に一体的に形成され、各脚板部１２ｃ，１４ｃ，１６ｂを支持位置Ｑ側から倒伏位置Ｐ側に向けて弾性的に付勢可能な可撓性を備えていることにより、各支脚部１２，１４，１６が倒伏位置Ｐ１，Ｐ２，Ｐ３であるときには、各支脚部１２，１４，１６の上面１２ｇ，１４ｇ，１６ｆとベース部６の上面６ａとが同一平面になるように、各支脚部１２，１４，１６をベース部６に弾性的に付勢した状態で確実に固定することができる。したがって、各支脚部１２，１４，１６がヒンジ部１２ｂ，１４ｂ，１６ａを中心に意に反して支持位置Ｑ側に回動することにより、ベース部６がタブレット本体２の裏面２ｃから意に反して外れることを防ぐことができる。また、支脚部１２，１４，１６のうちの少なくとも一つが支持位置Ｑにあるときには、脚板部１２ｃ，１４ｃ，１６ｂのうちの立ち上げた脚板部の最も上方に位置する先端部である突起部１２ｆ，１４ｆ，１６ｄのいずれかを、タブレット本体２の裏面２ｃの第１の取付穴２ｄ又は第２の取付穴２ｅに対して固定した状態では、立ち上げられた状態の脚板部を倒伏位置Ｐ側に向けて付勢することにより、支脚部の先端部とタブレット本体２の裏面２ｃの第１の取付穴２ｄ又は第２の取付穴２ｅとの取り付け具合を強めることができるため、ベース部６に対して傾斜させた状態のタブレット本体２を支脚部１２，１４，１６の脚板部１２ｃ，１４ｃ，１６ｂで安定的に支持した状態で固定することができる。
【００４５】
また、本実施形態によるスタンド１によれば、支脚部１２，１４，１６の上面１２ｇ，１４ｇ，１６ｆとベース部６の上面６ａとが同一平面になっている倒伏位置Ｐ１，Ｐ２，Ｐ３の支脚部１２，１４，１６の少なくとも一つを使用者が支持位置Ｑ１，Ｑ２，Ｑ３の何れかにしようとする際に、倒伏位置Ｐ１，Ｐ２，Ｐ３の支脚部１２，１４，１６の脚板部１２ｃ，１４ｃ，１６ｂの外縁部１２ｄ，１４ｄ，１６ｃが嵌合されているベース部６の内縁部６ｃの一部に設けられた手指挿入用の凹部２０，２２，２４に使用者の手指を挿入し、脚板部１２ｃ，１４ｃ，１６ｂの外縁部１２ｄ，１４ｄ，１６ｃを摘まんで引き上げることにより、容易に脚板部をベース部６に対して立ち上げることができるため、使い勝手がよい。
特に、第１の支脚部１２の第１の脚板部１２ｃの上面１２ｇとベース部６の上面６ａとが同一平面になっている倒伏位置Ｐ１の第１の支脚部１２を使用者が支持位置Ｑ１にしようとする場合、ベース部６の内縁部６ｃの一部に設けられた手指挿入用の凹部２０ａ，２０ｂ，２０ｃの少なくとも一つに使用者の手指を挿入し、倒伏位置Ｐ１の第１の支脚部１２の第１の脚板部１２ｃの外縁部１２ｄを摘まんで引き上げることにより、容易に第１の脚板部１２をベース部６に対して立ち上げることができる。また、第２の支脚部１４の第２の脚板部１４ｃの上面１４ｇとベース部６の上面６ａとが同一平面になっている倒伏位置Ｐ２の第２の支脚部１４を使用者が支持位置Ｑ２にしようとする場合、第１の脚板部１２ｃの第１の内縁部１２ｅの一部に設けられた手指挿入用の凹部２２ａ，２２ｂ，２２ｃの少なくとも一つに使用者の手指を挿入し、倒伏位置Ｐ２の第２の支脚部１４の第２の脚板部１４ｃの外縁部１４ｄを摘まんで引き上げることにより、容易に第２の脚板部１４をベース部６に対して立ち上げることができる。さらに、第３の支脚部１６の第３の脚板部１６ｂの上面１６ｆとベース部６の上面６ａとが同一平面になっている倒伏位置Ｐ３の第３の支脚部１６を使用者が支持位置Ｑ３にしようとする場合、第２の脚板部１４ｃの第２の内縁部１４ｅの一部に設けられた手指挿入用の凹部２４ａ，２４ｂ，２４ｃの少なくとも一つに使用者の手指を挿入し、倒伏位置Ｐ３の第３の支脚部１６の第３の脚板部１６ｂの外縁部１６ｃを摘まんで引き上げることにより、容易に第３の脚板部１６をベース部６に対して立ち上げることができる。
【００４６】
さらに、本実施形態によるスタンド１によれば、各支脚部１２，１４，１６の脚板部１２ｃ，１４ｃ，１６ｂの外縁部１２ｄ，１４ｄ，１６ｃが、滑り難い材料で形成されているため、ベース部６に嵌合された倒伏位置Ｐ１，Ｐ２，Ｐ３でベース部６との嵌合が外れ難くなり、倒伏位置Ｐ１，Ｐ２，Ｐ３の各支脚部１２，１４，１６の脚板部１２ｃ，１４ｃ，１６ｂの外縁部１２ｄ，１４ｄ，１６ｃを互いに嵌合してベース部６に確実に固定することができる。したがって、倒伏位置Ｐ１，Ｐ２，Ｐ３の各支脚部１２，１４，１６の脚板部１２ｃ，１４ｃ，１６ｂの外縁部１２ｄ，１４ｄ，１６ｃが意に反してベース部６から外れることにより、ベース部６がタブレット本体２の裏面２ｃから意に反して外れることを防ぐことができる。よって、タブレット本体２をベース部６に対して確実に固定することができるため、タブレット本体２をベース部６に取り付けた状態で持ち運び等をしているときにも、ベース部６がタブレット本体２から意に反して外れたり、脱落したりすることを防ぐことができる。また、支脚部１２，１４，１６の少なくとも一つが支持位置Ｑ１，Ｑ２，Ｑ３のいずれかにあるときには、支脚部１２，１４，１６のうちの立ち上げた脚板部の最も上方に位置する突起部１２ｆ，１４ｆ，１６ｄのいずれかを、タブレット本体２の裏面２ｃの第１の取付穴２ｄ又は第２の取付穴２ｅに安定的に固定し、ベース部６に対して傾斜させた状態のタブレット本体２を支脚部の脚板部で安定的に支持した状態で固定することができる。
【００４７】
また、本実施形態によるスタンド１によれば、タブレット本体２の裏面２ｃの縦幅方向に並列に配置され且つタブレット本体２の裏面２ｃの横幅方向に延びるようにスリット状に形成された第１の取付穴２ｄ及び第２の取付穴２ｅが、ベース部６を取り付ける前の状態のタブレット本体２をその裏面２ｃと同一面内で回転させることにより互いに配置換えが可能であるため、前側取付部８がタブレット本体２の第１の取付穴２ｄに取り付けられた場合には、ベース部６の後側取付部１８、又は支持位置Ｑ１，Ｑ２，Ｑ３の脚板部１２ｃ，１４ｃ，１６ｂの突起部１２ｆ，１４ｆ，１６ｄのいずれかを第２の取付穴２ｅに取り付けることができる。一方、前側取付部８が第２の取付穴２ｅに取り付けられた場合には、後側取付部１８、又は支持位置Ｑ１，Ｑ２，Ｑ３の脚板部１２ｃ，１４ｃ，１６ｂの突起部１２ｆ，１４ｆ，１６ｄのいずれかを第１の取付穴２ｄに取り付けることができる。したがって、タブレット本体２の使用状況に応じて、ベース部６、前側取付部８、後側取付部１８、及び支脚部１２，１４，１６に対するタブレット本体２の向きを簡単に変更することができ、使い勝手がよい。
【００４８】
さらに、本実施形態によるスタンド１によれば、支脚部１２，１４，１６が倒伏位置Ｐ１，Ｐ２，Ｐ３であるときに、ベース部６の前側取付部８をタブレット本体２の裏面２ｃの第１の取付穴２ｄ又は第２の取付穴２ｅの一方に取り付けると共に、ベース部６の後側取付部１８をタブレット本体２の裏面２ｃの第１の取付穴２ｄ又は第２の取付穴２ｅの他方に取り付けた状態では、後側取付部１８の長突起部１８ａ及び短突起部１８ｂがタブレット本体２の裏面２ｃの第１の取付穴２ｄ又は第２の取付穴２ｅの他方に挿入されて嵌合されることにより、後側取付部１８とこれを取り付けたタブレット本体２の裏面２ｃの第１の取付穴２ｄ又は第２の取付穴２ｅとを互いに確実に係止することができる。したがって、タブレット本体２をベース部６に対して確実に固定することができるため、タブレット本体２をベース部６に取り付けた状態で持ち運び等をしているときにも、ベース部６がタブレット本体２から意に反して外れたり、脱落したりすることを防ぐことができる。また、収納位置Ｒのベース部６及び倒伏位置Ｐ１，Ｐ２，Ｐ３の支脚部について、タブレット本体２を保護するための手段としても利用することができ、使い勝手がよい。
【００４９】
また、本実施形態によるスタンド１によれば、後側取付部１８が、滑り難い材料で形成されているため、倒伏位置で第１の取付穴２ｄ又は第２の取付穴２ｅの他方に取り付けられた状態でベース部６がタブレット本体２の裏面２ｃから外れ難くなり、収納位置Ｒのベース部６の後側取付部１８をタブレット本体２の第１の取付穴２ｄ又は第２の取付穴２ｅの他方に取り付けた状態で確実に固定することができる。したがって、タブレット本体２をベース部６に対して確実に固定することができため、タブレット本体２をベース部６に取り付けた状態で持ち運び等をしているときにも、ベース部６がタブレット本体２から意に反して外れたり、脱落したりすることを防ぐことができる。
【符号の説明】
【００５０】
１    スタンド
２    タブレット本体（電子機器）
２ａ  液晶表示部
２ｂ  操作ボタン
２ｃ  タブレット本体の裏面
２ｄ  第１の取付穴（第１の係合受け部）
２ｅ  第２の取付穴（第２の係合受け部）
４    台の上面
６    ベース部
６ａ  ベース部の上面
６ｂ  取付穴（収納部）
６ｃ  ベース部の内縁部（内周部）
８    前側取付部（第１の係合部）
１０    支脚部（複数の脚部）
１２    第１の支脚部（第１の脚部）
１２ａ  第１の穴
１２ｂ  第１のヒンジ部（支持部）
１２ｃ  第１の脚板部
１２ｄ  第１の外縁部
１２ｅ  第１の内縁部
１２ｆ  第１の突起部（係止部）
１２ｇ  第１の脚板部の上面
１４    第２の支脚部（第２の脚部）
１４ａ  第２の穴（収納部）
１４ｂ  第２のヒンジ部（支持部）
１４ｃ  第２の脚板部
１４ｄ  第２の外縁部
１４ｅ  第２の内縁部
１４ｆ  第２の突起部（係止部）
１４ｇ  第２の脚板部の上面
１６    第３の支脚部（第３の脚部）
１６ａ  第３のヒンジ部（支持部）
１６ｂ  第３の脚板部
１６ｃ  第３の外縁部
１６ｄ  第３の突起部（係止部）
１６ｆ  第３の脚板部の上面
１８    後側取付部（第２の係合部）
１８ａ  長突起部
１８ｂ  短突起部
２０    手指挿入用の凹部（手指挿入用の切り欠き部）
２０ａ  凹部
２０ｂ  凹部
２０ｃ  凹部
２２    手指挿入用の凹部（手指挿入用の切り欠き部）
２２ａ  凹部
２２ｂ  凹部
２２ｃ  凹部
２４    手指挿入用の凹部（手指挿入用の切り欠き部）
２４ａ  凹部
２４ｂ  凹部
２４ｃ  凹部
Ａ１    第１の軸線
Ａ２    第１の軸線
Ｂ１    ベース部の後側
Ｂ２    タブレット本体の後側
Ｆ１    ベース部の前側
Ｆ２    タブレット本体の前側
Ｈ１    第１の支脚部の縦方向の最大長さ
Ｈ２    第２の支脚部の縦方向の最大長さ
Ｈ３    第３の支脚部の縦方向の最大長さ
Ｌ１    第１の支脚部の横方向の最大長さ
Ｌ２    第２の支脚部の横方向の最大長さ
Ｌ３    第３の支脚部の横方向の最大長さ
Ｐ      支脚部の倒伏位置
Ｐ１    第１の支脚部の倒伏位置
Ｐ２    第２の支脚部の倒伏位置
Ｐ３    第３の支脚部の倒伏位置
Ｑ      支脚部の支持位置
Ｑ１    第１の支脚部の支持位置
Ｑ２    第２の支脚部の支持位置
Ｑ３    第３の支脚部の支持位置
Ｒ      収納位置
α０    収納位置のベース部とタブレット本体との傾斜角度
α１    ベース部とタブレット本体との傾斜角度
α２    ベース部とタブレット本体との傾斜角度
α３    ベース部とタブレット本体との傾斜角度
β０    収納位置のベース部と倒伏位置の支脚部との傾斜角度
β１    ベース部と支持位置の支脚部との傾斜角度
β２    ベース部と支持位置の支脚部との傾斜角度
β３    ベース部と支持位置の支脚部との傾斜角度
【図１】
2014183113.tif 000003
【図２】
2014183113.tif 000004
【図３】
2014183113.tif 000005
【図４】
2014183113.tif 000006
【図５】
2014183113.tif 000007
【図６】
2014183113.tif 000008
【図７】
2014183113.tif 000009
【図８】
2014183113.tif 000010
【図９】
2014183113.tif 000011
【図１０】
2014183113.tif 000012
【図１１】
2014183113.tif 000013
【図１２】
2014183113.tif 000014
【図１３】
2014183113.tif 000015
【図１４】
2014183113.tif 000016
【図１５】
2014183113.tif 000017